【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
印刷手段により画像を印刷する場合に再印刷を許可するか否か選択する選択手段と、
前記印刷手段により印刷された前記画像の再印刷が許可されているか否かを、前記選択手段による選択に基づき判定する判定手段と、
前記印刷手段の印刷履歴情報を取得する履歴取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする画像処理装置。
【請求項２】
前記表示手段によって表示された前記再印刷許可情報を指定して前記画像の再印刷を指示する指示手段と、
前記再印刷許可情報に対応する前記参照情報に基づく画像を前記印刷手段に再印刷させる再印刷手段と
をさらに備えることを特徴とする請求項１に記載の画像処理装置。
【請求項３】
前記画像の再印刷が許可されているユーザによる操作であるか否かを認証する認証手段をさらに備え、
前記表示手段は、前記認証手段により再印刷が許可されたユーザによる操作であると認証されたことを条件として前記再印刷許可情報を前記印刷履歴情報とともに表示する
ことを特徴とする請求項１又は２に記載の画像処理装置。
【請求項４】
前記格納手段が、ネットワークを介して接続された他装置に保存されている前記画像の保存先を示すＵＲＬを前記参照情報として格納することを特徴とする請求項１から３のいずれか１項に記載の画像処理装置。
【請求項５】
前記画像が、前記他装置で管理されているウェブコンテンツデータであることを特徴とする請求項４に記載の画像処理装置。
【請求項６】
印刷対象となる画像を取得する画像取得手段と、
前記画像を印刷する印刷手段と、
前記印刷手段により前記画像を印刷する場合に再印刷を許可するか否か選択する選択手段と、
前記画像の再印刷が許可されているか否かを、前記選択手段による選択に基づき判定する判定手段と、
前記印刷手段の印刷履歴情報を取得する取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする印刷装置。
【請求項７】
前記表示手段によって表示された前記再印刷許可情報を指定して前記画像の再印刷を指示する指示手段と、
前記再印刷許可情報に対応する前記参照情報に基づく画像を再印刷する再印刷手段と
をさらに備えることを特徴とする請求項６に記載の印刷装置。
【請求項８】
前記画像の再印刷が許可されているユーザによる操作であるか否かを認証する認証手段をさらに備え、
前記表示手段は、前記認証手段により再印刷が許可されたユーザによる操作であると認証されたことを条件として前記再印刷許可情報を前記印刷履歴情報とともに表示する
ことを特徴とする請求項６又は７に記載の印刷装置。
【請求項９】
前記格納手段が、ネットワークを介して接続された他装置に保存されている前記画像の保存先を示すＵＲＬを前記参照情報として格納することを特徴とする請求項６から８のいずれか１項に記載の印刷装置。
【請求項１０】
前記画像が、前記他装置で管理されているウェブコンテンツデータであることを特徴とする請求項９に記載の印刷装置。
【請求項１１】
前記画像取得手段で取得した画像を、前記印刷手段で印刷する際に用いる記録紙に収まるようにレイアウト編集する編集手段をさらに備えることを特徴とする請求項６から１０のいずれか１項に記載の印刷装置。
【請求項１２】
参照情報に基づき印刷対象となる画像を取得する画像取得手段と、
前記画像取得手段で取得した前記画像を印刷する印刷手段と、
前記印刷手段により前記画像を印刷する場合に再印刷を許可するか否か選択する選択手段と、
前記印刷手段による印刷履歴を、前記画像取得手段で前記画像を取得する際に用いた前記参照情報とともに格納する格納手段と、
前記選択手段により再印刷を許可するよう選択され、前記格納手段で格納されている印刷履歴に基づく再印刷の指示がなされた場合に、前記印刷履歴と対応付けられて格納されている参照情報に従って前記画像取得手段により印刷対象となる画像を新たに取得して前記印刷手段で印刷させるよう制御する制御手段と
を備えることを特徴とする印刷装置。
【請求項１３】
前記画像取得手段により取得した前記画像を記憶する記憶手段をさらに備え、
前記制御手段は、前記印刷履歴に基づく再印刷の指示がなされた場合、前記印刷履歴と対応付けられて格納されている参照情報に従って前記画像取得手段により印刷対象となる画像を新たに取得して前記印刷手段で印刷させるか、前記印刷履歴と対応付けられて前記記憶手段に記憶されている画像を前記印刷手段で印刷させるかを選択可能であることを特徴とする請求項１２に記載の印刷装置。
【請求項１４】
前記画像の再印刷が許可されているユーザによる操作であるか否かを認証する認証手段をさらに備え、
前記制御手段は、前記認証手段により前記再印刷が許可されたユーザによる操作であると認証されたことを条件として前記再印刷を許可する
ことを特徴とする請求項１２又は１３に記載の印刷装置。
【請求項１５】
前記格納手段が、ネットワークを介して接続された他装置に保存されている前記画像の保存先を示すＵＲＬを前記参照情報として格納することを特徴とする請求項１２から１４のいずれか１項に記載の印刷装置。
【請求項１６】
前記画像が、前記他装置で管理されているウェブコンテンツデータであることを特徴とする請求項１５に記載の印刷装置。
【請求項１７】
印刷装置により画像を印刷する場合に再印刷を許可するか否か選択する選択工程と、
前記印刷装置により印刷された前記画像の再印刷が許可されているか否かを、前記選択工程における選択に基づき判定する判定工程と、
前記印刷装置の印刷履歴情報を取得する履歴取得工程と、
前記判定工程により前記画像の再印刷が許可されていると判定された場合、該画像の保存先を示す参照情報を格納する格納工程と、
前記画像の再印刷が許可されていることを示す再印刷許可情報を前記参照情報に対応させて前記印刷履歴情報とともに表示する表示工程と
を有することを特徴とする画像処理方法。
【請求項１８】
印刷対象となる画像を取得する画像取得工程と、
前記画像を印刷装置で印刷させる印刷工程と、
前記印刷工程において前記画像を印刷する場合に再印刷を許可するか否か選択する選択工程と、
前記画像の再印刷が許可されているか否かを、前記選択工程における選択に基づき判定する判定工程と、
前記印刷装置の印刷履歴情報を取得する履歴取得工程と、
前記判定工程により前記画像の再印刷が許可されていると判定された場合、該画像の保存先を示す参照情報を格納装置に格納する格納工程と、
前記画像の再印刷が許可されていることを示す再印刷許可情報を前記参照情報に対応させて前記印刷履歴情報とともに表示装置に表示する表示工程と
を有することを特徴とする画像処理方法。
【請求項１９】
参照情報に基づき印刷対象となる画像を取得する画像取得工程と、
前記画像取得工程で取得した画像を印刷装置に印刷させる印刷工程と、
前記印刷工程において前記画像を印刷する場合に再印刷を許可するか否か選択する選択工程と、
前記印刷工程による印刷履歴を、前記画像取得工程で画像を取得する際に用いた参照情報とともに格納する格納工程と、
前記選択工程において再印刷を許可するよう選択され、前記格納工程で格納された印刷履歴に基づく再印刷の指示がなされた場合に、前記印刷履歴と対応付けられて格納されている参照情報に従って前記画像取得工程により印刷対象となる画像を新たに取得して印刷装置で印刷させるよう制御する制御工程と
を有することを特徴とする画像処理方法。
【請求項２０】
コンピュータに、請求項１７から１９のいずれか１項に記載の画像処理方法を実行させるためのプログラム。
【請求項２１】
請求項２０に記載のプログラムを格納したことを特徴とするコンピュータ読み取り可能な記録媒体。
【手続補正２】
【補正対象書類名】明細書
【補正対象項目名】０００６
【補正方法】変更
【補正の内容】
【０００６】
上記課題を解決するために、本発明に係る画像処理装置は、
印刷手段により画像を印刷する場合に再印刷を許可するか否か選択する選択手段と、
前記印刷手段により印刷された前記画像の再印刷が許可されているか否かを、前記選択手段による選択に基づき判定する判定手段と、
前記印刷手段の印刷履歴情報を取得する履歴取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする。
【手続補正３】
【補正対象書類名】明細書
【補正対象項目名】０００７
【補正方法】変更
【補正の内容】
【０００７】
また、上記課題を解決するために、本発明に係る印刷装置は、
印刷対象となる画像を取得する画像取得手段と、
前記画像を印刷する印刷手段と、
前記印刷手段により前記画像を印刷する場合に再印刷を許可するか否か選択する選択手段と、
前記画像の再印刷が許可されているか否かを、前記選択手段による選択に基づき判定する判定手段と、
前記印刷手段の印刷履歴情報を取得する取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする。
【手続補正４】
【補正対象書類名】明細書
【補正対象項目名】０００８
【補正方法】変更
【補正の内容】
【０００８】
さらに、上記課題を解決するために、本発明に係る印刷装置は、
参照情報に基づき印刷対象となる画像を取得する画像取得手段と、
前記画像取得手段で取得した前記画像を印刷する印刷手段と、
前記印刷手段により前記画像を印刷する場合に再印刷を許可するか否か選択する選択手段と、
前記印刷手段による印刷履歴を、前記画像取得手段で前記画像を取得する際に用いた前記参照情報とともに格納する格納手段と、
前記選択手段により再印刷を許可するよう選択され、前記格納手段で格納されている印刷履歴に基づく再印刷の指示がなされた場合に、前記印刷履歴と対応付けられて格納されている参照情報に従って前記画像取得手段により印刷対象となる画像を新たに取得して前記印刷手段で印刷させるよう制御する制御手段と
を備えることを特徴とする。
【手続補正５】
【補正対象書類名】明細書
【補正対象項目名】０００９
【補正方法】変更
【補正の内容】
【０００９】
さらにまた、上記課題を解決するために、本発明に係る画像処理方法は、
印刷装置により画像を印刷する場合に再印刷を許可するか否か選択する選択工程と、
前記印刷装置により印刷された前記画像の再印刷が許可されているか否かを、前記選択工程における選択に基づき判定する判定工程と、
前記印刷装置の印刷履歴情報を取得する履歴取得工程と、
前記判定工程により前記画像の再印刷が許可されていると判定された場合、該画像の保存先を示す参照情報を格納する格納工程と、
前記画像の再印刷が許可されていることを示す再印刷許可情報を前記参照情報に対応させて前記印刷履歴情報とともに表示する表示工程と
を有することを特徴とする。
【手続補正６】
【補正対象書類名】明細書
【補正対象項目名】００１０
【補正方法】変更
【補正の内容】
【００１０】
さらにまた、上記課題を解決するために、本発明に係る画像処理方法は、
印刷対象となる画像を取得する画像取得工程と、
前記画像を印刷装置で印刷させる印刷工程と、
前記印刷工程において前記画像を印刷する場合に再印刷を許可するか否か選択する選択工程と、
前記画像の再印刷が許可されているか否かを、前記選択工程における選択に基づき判定する判定工程と、
前記印刷装置の印刷履歴情報を取得する履歴取得工程と、
前記判定工程により前記画像の再印刷が許可されていると判定された場合、該画像の保存先を示す参照情報を格納装置に格納する格納工程と、
前記画像の再印刷が許可されていることを示す再印刷許可情報を前記参照情報に対応させて前記印刷履歴情報とともに表示装置に表示する表示工程と
を有することを特徴とする。
【手続補正７】
【補正対象書類名】明細書
【補正対象項目名】００１１
【補正方法】変更
【補正の内容】
【００１１】
さらにまた、上記課題を解決するために、本発明に係る画像処理方法は、
参照情報に基づき印刷対象となる画像を取得する画像取得工程と、
前記画像取得工程で取得した画像を印刷装置に印刷させる印刷工程と、
前記印刷工程において前記画像を印刷する場合に再印刷を許可するか否か選択する選択工程と、
前記印刷工程による印刷履歴を、前記画像取得工程で画像を取得する際に用いた参照情報とともに格納する格納工程と、
前記選択工程において再印刷を許可するよう選択され、前記格納工程で格納された印刷履歴に基づく再印刷の指示がなされた場合に、前記印刷履歴と対応付けられて格納されている参照情報に従って前記画像取得工程により印刷対象となる画像を新たに取得して印刷装置で印刷させるよう制御する制御工程と
を有することを特徴とする。